(57)【要約】【課題】液晶ディスプレイのバックライトシステムにおいて、温度分布均一化によるランプの長寿命化、輝度ユニフォミティ改善、給電システムの電力効率向上、及び低電圧化による安全性の確保を行う。【解決手段】線状ランプ２１，２３が、略中央部で左右に分割される。横方向いっぱいに長さをとった線状ランプを使用する場合に比べて熱伝導距離が短くなり、従来に比べて温度分布が画面全体で均一化され、これにより線状ランプ２１，２３ランプの長寿命化が可能となり、さらにストレー電流が半減することにより、輝度の均一化とインバータ装置の効率向上を達成でき、しかも低電圧による安全性の確保が容易に可能になる。【選択図】        図１
2005011634.tif 000002
【特許請求の範囲】
【請求項１】
表示画面の長手方向に配置した複数の線状ランプによって液晶部を背面から照明するバックライトシステムであって、
前記線状ランプが、表示画面の長手方向の略中央部で当該長手方向に分割されて当該長手方向の両側に併設された、バックライトシステム。
【請求項２】
請求項１に記載のバックライトシステムであって、
前記線状ランプの前記表示画面端部に配置される両電極に印加される一方の両電極印加電圧が、他方の電極印加電圧に対して逆位相とされる、バックライトシステム。
【請求項３】
請求項１または請求項２に記載のバックライトシステムであって、
前記線状ランプが、前記表示画面の中央部において折り返された形状の曲げ管である、バックライトシステム。
【請求項４】
請求項３に記載のバックライトシステムであって、
前記曲げ管の折り返された部分が一直線に並ばないように、前記表示画面の長手方向に沿って、長さの異なる一対の前記線状ランプが対応して並置されたバックライトシステム。
【請求項５】
請求項１または請求項２に記載のバックライトシステムであって、
前記線状ランプが、前記表示画面の端部から中央部に亘って配置されたストレート管であり、
前記線状ランプの前記表示画面の中央部において、前記表示画面の長手方向に垂直な方向に隣接する前記線状ランプ同士を電気的に接続するための接合部が設けられた、バックライトシステム。
【請求項６】
請求項５に記載のバックライトシステムであって、
前記接合部が、導電性の接合材料である、バックライトシステム。
【請求項７】
請求項６に記載のバックライトシステムであって、
前記接合部が絶縁材料でシールドされた、バックライトシステム。
【請求項８】
請求項５に記載のバックライトシステムであって、
前記線状ランプの前記表示画面の中央部において、前記表示画面の長手方向に垂直な方向に隣接する前記線状ランプ同士を電気的に接続するためのソケット型の電気結合部品が設けられた、バックライトシステム。
【請求項９】
請求項１、請求項２、請求項３または請求項５に記載のバックライトシステムであって、
前記線状ランプが、前記表示画面の長手方向の略中央部を中心として、前記長手方向に対称に併設された、バックライトシステム。
【請求項１０】
請求項１ないし請求項９のいずれかに記載のバックライトシステムであって、
前記線状ランプに給電するものであって、前記表示画面の中央部を中心として対象に配置された一対の給電部が設けられた、バックライトシステム。
【請求項１１】
請求項３または請求項４に記載のバックライトシステムであって、
前記曲げ管の折り返された部分の出射光量を調整する出射光量調整手段が設けられた、バックライトシステム。
【請求項１２】
請求項３、請求項４または請求項１１に記載のバックライトシステムであって、
前記線状ランプの背面に配置されて当該線状ランプから背面に向かう光を前記液晶ディスプレイ側に反射する反射手段が設けられ、
前記反射手段の前記曲げ管の折り返された部分に対応する位置の光反射率が、当該折り返された部分からの光の輝度調整するよう、他の部分と異なって設定された、バックライトシステム。
【請求項１３】
請求項３、請求項４、請求項１１または請求項１２に記載のバックライトシステムであって、
前記線状ランプの前記液晶ディスプレイ側に配置されて光を拡散するための拡散手段が設けられ、
前記拡散手段の前記曲げ管の折り返された部分に対応する位置の光拡散率が他の部分と異なって設定された、バックライトシステム。
【請求項１４】
請求項３、請求項４、請求項１１、請求項１２または請求項１３に記載のバックライトシステムであって、
前記線状ランプの前記液晶ディスプレイ側に配置されて光の透過制御を行うための光透過制御手段が設けられ、
前記光透過制御手段の前記曲げ管の折り返された部分に対応する位置の光透過率が他の部分と異なって設定された、バックライトシステム。
【請求項１５】
液晶部を背面から照明するバックライトシステムであって、
表示画面の長手方向に垂直に配置され、一端において折り返されるとともに、他端に両端子が形成された曲げ管である複数の線状ランプと、
前記各線状ランプの他端付近に配置され、前記両端子に給電する給電部と
を備えるバックライトシステム。
【発明の詳細な説明】
【０００１】
【発明の属する技術分野】
この発明は、液晶ディスプレイなどの光源を有する電子表示機器におけるバックライトシステムに関し、特に、光源の配置、接続、給電と表示面からの出射光の均一化に係るバックライトシステムに関するものである。
【０００２】
【従来の技術】
図１９は液晶ディスプレイなどの光源を有する電子表示機器における従来のバックライトシステムの一例を示す模式図である。このバックライトシステムでは、互いに並設された複数本の線状ランプとしてのストレート型ＣＣＦＬ（冷陰極線管）ランプ１が、ランプハウス３内に収納されており、ストレート型ＣＣＦＬランプ１の一端側に、給電部である片側給電方式インバータ装置５が配置され、この片側給電方式インバータ装置５が、各ストレート型ＣＣＦＬランプ１の一端に形成されたホット側端子７に接続される。また、各ストレート型ＣＣＦＬランプ１の他端側には、低圧側となるコールド側端子９が形成されている。
【０００３】
図２０は図１９に示すバックライトシステムの縦方向（上下方向）の温度分布図、図２１は同じくその横方向（画面左右方向）の温度分布図であり、図２２は同じくその縦方向（上下方向）の輝度分布図、図２３は同じくその横方向（画面左右方向）の輝度分布図である。また、図２４は図１９に示すバックライトシステムのストレート型ＣＣＦＬランプ１と片側給電方式インバータ装置５の拡大図である。
【０００４】
図１９及び図２４に示すように、画面水平方向に配置されたストレート型ＣＣＦＬランプ１のホット側端子７に対して片側給電方式インバータ装置５から交流電圧をかけ、このホット側端子７からコールド側端子９に交流電流（管電流）を流すことにより、ストレート型ＣＣＦＬランプ１が発光する。このとき、ホット側端子７への印加電圧は、数百Ｖｒｍｓから千数百Ｖｒｍｓに至る高電圧であり、他方、コールド側端子９はほぼ０Ｖｒｍｓの低電圧である。
【０００５】
尚、図２４中の符号１１はホット側端子７に流れる管電流、符号１３はコールド側端子９に流れる管電流をそれぞれ示している。
【０００６】
ここで、ランプハウス３は、アルミニウムまたはその合金等の金属で作られており、上述のようにストレート型ＣＣＦＬランプ１への印加電圧が高いために、片側給電方式インバータ装置５からストレート型ＣＣＦＬランプ１への接続線や、ストレート型ＣＣＦＬランプ１とランプハウス３との間の空間において、ストレー容量１５が形成される。
【０００７】
尚、図２０において、表示画面の上側の温度が下側の温度に比べて相対的に高いのは、液晶ディスプレイの駆動回路における発熱等の外部要因に起因するものである。
【０００８】
この他、バックライトにＵ字管を使用した技術も開示されている（例えば、特許文献１，２）。
【０００９】
【特許文献１】
特開平７−２８８０２３号公報
【特許文献２】
特開２００２−２７８４７１号公報
【００１０】
【発明が解決しようとする課題】
上記した従来のバックライトシステムでは、片側給電方式インバータ装置５が、給電端子であるホット側端子７側の近傍に配置される必要がある。このため、図２０及び図２１に示すように、片側給電方式インバータ装置５からの発熱によりホット端子７側（図２０及び図２１では左部）の温度が高くなる。このように、ストレート型ＣＣＦＬランプ１の両電極７，９に温度差があると、冷温部に水銀が集中し、水銀が枯渇した方の電極にスパッターが生じてランプ寿命が短くなる。
【００１１】
また、ストレー容量１５（図２４）によって漏れ電流１７が発生した場合には、図２５の如く、コールド側端子９付近の管電流１３が、高電圧であるホット側端子７付近の管電流１１よりも、漏れ電流１７の分だけ低下してしまう。このため、特に画面左右方向の輝度差が大きくなってしまう（図２３）。
【００１２】
さらに、このストレー容量１５に流れる洩れ電流１７は、ストレート型ＣＣＦＬランプ１の発光に寄与しない無効電流であり、片側給電方式インバータ装置５のトランス１次巻線１９側に多くの励磁電流が流れることになる。この場合、片側給電方式インバータ装置５の電力効率低下に至る。
【００１３】
これらの問題は、上記の特許文献１，２に開示されたようなＵ字管を用いた例についても同様に発生する。
【００１４】
そこで、この発明の課題は、温度分布均一化によるランプの長寿命化、輝度ユニフォミティ改善、給電システムの電力効率向上、及び低電圧化による安全性の確保を行い得るバックライトシステムを提供することにある。
【００１５】
【課題を解決するための手段】
上記課題を解決すべく、この発明は、表示画面の長手方向に配置した複数の線状ランプによって液晶部を背面から照明するバックライトシステムであって、前記線状ランプが、表示画面の長手方向の略中央部で当該長手方向に分割されて当該長手方向の両側に併設されたものである。
【００１６】
あるいは、液晶部を背面から照明するバックライトシステムであって、表示画面の長手方向に垂直に配置され、一端において折り返されるとともに、他端に両端子が形成された曲げ管である複数の線状ランプと、前記各線状ランプの他端付近に配置され、前記両端子に給電する給電部とを備えるものである。
【００１７】
【発明の実施の形態】
実施の形態１．
図１はこの発明の実施の形態１に係るバックライトシステムを示す模式図である。尚、この実施の形態では、表示画面が横長の電子表示機器を例として説明している。
【００１８】
このバックライトシステムは、大型液晶ディスプレイなどの大面積の電子表示機器において背面から照明を行うバックライトシステムであって、図１の如く、線状ランプとしてのＵ字型ＣＣＦＬランプである曲げ管２１，２３を複数個並べた構成となっており、特に左右半分ずつに領域分割を行い、曲げ管２１，２３を各領域に分割した状態で、両曲げ管２１，２３同士を左右から突き合わせるよう配置している。左側の曲げ管２１は、左端部に配設された第１のフローティング給電方式インバータ装置２５から給電を行い、右側の曲げ管２３は、右端部に配設された第２のフローティング給電方式インバータ装置２７から給電を行う。
【００１９】
各曲げ管２１，２３は、両端部が給電用のホット側端子３１ａ，３３ａ，３１ｂ，３３ｂとなっており、いずれも各フローティング給電方式インバータ装置２５，２７に接続されて、互いに反転する交流電圧が与えられる。また、各曲げ管２１，２３の中間部は折り曲げ部３５とされ、画面の左右方向における中央部に位置される。そして、ホット側端子３１ａ，３３ａ，３１ｂ，３３ｂ同士が両端部で近接配置されるため、ホット側端子３１ａ，３３ａ，３１ｂ，３３ｂ同士の間で温度差が少ない状態を容易に設定することができる。
【００２０】
尚、図１中の符号３７は金属製のＣＣＦＬランプハウスを示している。
【００２１】
このバックライトシステムの動作を説明する。図１に示すように、画面水平方向に左右一対に配置されたＵ字型ＣＣＦＬランプ２１，２３のうち、左側のＵ字型ＣＣＦＬランプ２１の両端端子であるホット側端子３１ａ，３３ａには、第１のフローティング給電方式インバータ装置２５より互いに１８０°位相が違う交流電圧が印加される。この印加電圧により、左側のＵ字型ＣＣＦＬランプ２１に交流電流が流れ、これによりこのＵ字型ＣＣＦＬランプ２１が発光する。このとき、両ホット側端子３１ａ，３３ａへの印加電圧は、いずれも図１９に示した従来の片側給電方式インバータ装置５での給電電圧Ｖｐｐの約１／２となる。
【００２２】
水平に配置されたもう一方の右側のＵ字型ＣＣＦＬランプ２３の動作原理も同様で、第２のフローティング給電方式インバータ装置２７により両ホット側端子３１ｂ，３３ｂに対し、互いに１８０°位相が違う交流電圧が印加され、これによる交流電流により右側のＵ字型ＣＣＦＬランプ２３が発光する。
【００２３】
また、一方（左側）のＵ字型ＣＣＦＬランプ２１を画面中央の折り曲げ部３５で折り返し、２つ目（右側）のＵ字型ＣＣＦＬランプ２３を水平方向に並べて左右対称とすることにより、両フローティング給電方式インバータ装置２５，２７も左右対称に配置された構造となる。
【００２４】
ここで、図２は図１に示すバックライトシステムの縦方向（上下方向）の温度分布図、図３は同じくその横方向（画面左右方向）の温度分布図であり、図４は同じくその縦方向（上下方向）の輝度分布図、図５は同じくその横方向（画面左右方向）の輝度分布図である。
【００２５】
図２のように、縦方向（上下方向）においては温度分布の差が生じる。しかしながら、上述のように、各Ｕ字型ＣＣＦＬランプ２１、２３を中央の折り曲げ部３５で折り返し、水平方向に２つの曲げ管（Ｕ字型ＣＣＦＬランプ２１、２３）を左右対称に並べた構成とすることにより、両フローティング給電方式インバータ装置２５，２７も左右対称に配置された構造となることから、温度も左右に分散され、左側の温度上昇は小さくなる。さらに図３に示すように、バックライトシステムの左右方向についての温度分布は左右対称となり、また中央部の折り曲げ部３５で折り返されることから、最も温度の低い中央部（折り曲げ部３５）からホット側端子３１ａ，３３ａ，３１ｂ，３３ｂまでの距離も、図１９に示した従来の場合に比べて半分となる。このことから、バックライトシステムの横方向温度差も、図２１に比べて全体として小さく抑制できる。
【００２６】
また、各Ｕ字型ＣＣＦＬランプ２１，２３の両ホット側端子３１ａ，３３ａ，３１ｂ，３３ｂ（両給電部）が互いに隣接配置されることにより、両極を１８０°位相の違う電圧で給電する方式（つまり、フローティング給電方式）が容易に構成可能となり、この給電方式により、１つの電極（例えばホット側端子３１ａ）に印加する給電電圧が従来（図１９）の片側給電方式インバータ装置５の約半分の電圧（＝１／２Ｖｐｐ）で済む。さらに、両電極の温度差もなくなるため、従来のように、冷温部に水銀が集中し、この水銀が枯渇した方の電極にスパッターが生じてランプ寿命が短くなる、といった事態を緩和でき、ランプの長寿命化が可能となる。
【００２７】
ここで、例えば図１９に示したストレート型ＣＣＦＬランプ１と全管長を同じとした接合のＵ字型ＣＣＦＬランプ２１，２３がランプハウス３７との間に発生するストレー容量は、従来のストレート型ＣＣＦＬ１と片側給電方式インバータ装置５を用いた場合のストレー容量１５（図２４参照）と同じであるが、各インバータ装置２５，２７からの給電電圧が約１／２Ｖｐｐとなることにより、ストレー容量による洩れ電流が半減する。これにより、図４のように上下方向についての輝度分布は従来と同様にばらつきが生じるものの、輝度差が目立ちやすい画面の左右方向についての輝度分布は、図５に示すように、画面全体で均一化される。
【００２８】
以上のように、従来に比べて温度分布が画面全体で均一化されることによりランプの長寿命化が可能となり、さらにストレー電流が半減することにより、輝度の均一化とインバータ装置の効率向上を達成でき、しかも低電圧による安全性の確保が容易に可能となる。
【００２９】
また、各曲げ管２１，２３同士の左右及び上下の間隔等を調整することで、温度分布と輝度差の調整設計を容易に行うことができ便利である。
【００３０】
実施の形態２．
図６はこの発明の実施の形態２に係るバックライトシステムを示す模式図である。尚、この実施の形態でも、表示画面が横長の電子表示機器を例として説明している。
【００３１】
図６の如く、この実施の形態のバックライトシステムでは、各Ｕ字型ＣＣＦＬランプ（曲げ管）４１が画面垂直方向に延びるように配置され、かかる複数のＵ字型ＣＣＦＬランプ４１が、水平方向に沿って並置された構成となっている。
【００３２】
また、フローティング給電方式インバータ装置４３は、Ｕ字型ＣＣＦＬランプ４１の下端位置に対応して配置されている。
【００３３】
そして、各Ｕ字型ＣＣＦＬランプ４１の両端の給電端子であるホット側端子４５，４７は、その最下端位置に形成されており、この両ホット側端子４５，４７と、これに近傍しているフローティング給電方式インバータ装置４３とが互いに接続される。また、各Ｕ字型ＣＣＦＬランプ４１の折り曲げ部４９はその最上段位置に形成されている。
【００３４】
その他の構成は実施の形態１と同様である。
【００３５】
このフローティング給電方式のインバータ装置４３により、両ホット側端子４５，４７にそれぞれ１８０°位相が異なる交流電圧が印加され、この印加電圧によりＵ字型ＣＣＦＬランプ４１に交流電流が流れることで、このＵ字型ＣＣＦＬランプ４１が発光する。
【００３６】
かかる構成によれば、ストレート管で製造可能と考えられる全長１３００ｍｍの長尺管を曲げ管とし、その曲げ管を垂直方向に配置（１３００ｍｍであればパネルサイズ５２”程度まで可能）する構造で、尚且つ給電端子である両ホット側端子４５，４７をシステム下部方向に配置することで、上述のようにフローティング給電方式インバータ装置４３をバックライトシステムの下部位置に横長に配置することが可能となる。
【００３７】
したがって、フローティング給電方式インバータ装置４３からの発熱はバックライトシステムの下方から上方へ伝わることになるが、画面の垂直方向の長さは、水平方向の長さに比べて小さいことから熱伝達距離が短くなり、よって垂直方向の温度差は小さいレベルに留まる。しかも、液晶ディスプレイの駆動回路の発熱により、図２０のように、表示画面の上側の温度が下側の温度に比べて相対的に高かったのに対して、これの温度差を相殺するようにフローティング給電方式インバータ装置４３及び両ホット側端子４５，４７を配置している。これらのことから、上下方向の温度差は、図７のように殆ど気にならない程度になる。
【００３８】
また、画面の垂直方向に比べて熱伝達距離の長くなる水平方向の温度差については、フローティング給電方式インバータ装置４３が下部位置において横長に配置されるので、このフローティング給電方式インバータ装置４３からの発熱がバックライトシステムの下方から上方へ均等に伝わり、よって左右方向（水平方向）の温度差は、図８のようにほぼ皆無となる。
【００３９】
さらに、洩れ電流により垂直方向（上下方向）についての輝度差は若干生じるものの（図９）、図１０の如く、輝度差が目立ちやすい画面の左右方向についての輝度分布が均一となる。
【００４０】
さらに、例えば液晶ディスプレイの縦横比率が１６：９などの場合、図１に示した実施の形態１のように、左右にそれぞれのＵ字型ＣＣＦＬランプ２１，２３を設置する場合は、液晶ディスプレイの縦寸法に相当するだけの本数のＵ字型ＣＣＦＬランプ２１，２３を右左それぞれ（即ち、縦寸法に相当する本数の２倍の本数）について設置しなければならないのに対して、この実施の形態の場合は、横寸法に相当するだけの本数のＵ字型ＣＣＦＬランプ４１を設置すれば良いだけなので、図１に示した実施の形態１に比べて、Ｕ字型ＣＣＦＬランプ４１の本数を少なくすることができる。したがって、安価で高効率なシステムを構成することができる。
【００４１】
実施の形態３．
図１１はこの発明の実施の形態３に係るバックライトシステムを示す図である。尚、この実施の形態でも、表示画面が横長の電子表示機器を例として説明している。
【００４２】
この実施の形態のバックライトシステムでは、左右両側にフローティング給電方式インバータ装置５１，５３をそれぞれ配置するとともに、画面内を左右に分割して左右それぞれに配置されたＵ字型ＣＣＦＬランプ（曲げ管）５５，５７で照明を行う点で、図１に示した実施の形態１の構成と共通している。ただし、この実施の形態３では、左右に対応して配置されるＵ字型ＣＣＦＬランプ５５，５７の長さを異なって設定している。尚、図１１中の符号５９，６１は給電端子であるホット側端子、符号６３は折り曲げ部をそれぞれ示している。
【００４３】
その他の構成は上記各実施の形態と同様である。
【００４４】
ここで、一般にＵ字型ＣＣＦＬランプを使用する場合、左右方向に対応して並置された２つのＵ字型ＣＣＦＬランプが近接する箇所、即ち、両Ｕ字型ＣＣＦＬランプの折り曲げ部が集中する位置の光量が、疎または密になり、表示画面上で局部的な輝度ムラとして認識される。特に、図１に示した実施の形態１のように、各Ｕ字型ＣＣＦＬランプ２１，２３の折り曲げ部３５が同一線上に配置されると、視認した場合に輝度ムラが目立つことになる。
【００４５】
しかしながら、この実施の形態３によると、左右に対応して配置されるＵ字型ＣＣＦＬランプ５５，５７の長さを異なって設定しているので、折り曲げ部６３の位置が一直線状に並ぶことがなくなり、この折り曲げ部６３の光束の疎密を表示画面上で分散することができる。したがって、表示画面での輝度差を緩和することができる。
【００４６】
実施の形態４．
図１２はこの発明の実施の形態４に係るバックライトシステムを示す図である。尚、この実施の形態でも、表示画面が横長の電子表示機器を例として説明している。
【００４７】
この実施の形態のバックライトシステムでは、図１で示した実施の形態１または図１１で示した実施の形態３と同様に、左右両側にフローティング給電方式インバータ装置（図示省略）をそれぞれ配置するとともに、画面内を左右に分割して左右それぞれに配置されたＵ字型ＣＣＦＬランプ（曲げ管）７１で照明を行うものであるが、図１２の如く、表示画面を視認した場合に光束７２ａが集中しやすい折り曲げ部７３において、光の出射光量を抑制するためのマスキング部（コーティング部：出射光量調整手段）７５が形成されている。このマスキング部７５は、光の出射光量を抑制するよう、例えば灰色のシールが折り曲げ部７３に貼付された構成となっている。
【００４８】
その他の構成は上記各実施の形態と同様である。
【００４９】
このように、Ｕ字型ＣＣＦＬランプ７１の折り曲げ部７３にマスキング部７５を形成した構造としているので、左右方向に対応して並置された一対のＵ字型ＣＣＦＬランプ７１同士が近接する箇所（即ち、折り曲げ部７３）の光束７２ａの出射光量を、折り曲げ部７３以外の部分での光束７２ｂの出射光量と同等に調整することができる。したがって、局部的な光束量の違いによる光量の差を抑制でき、これにより輝度ムラを抑制して表示画面での輝度差を均一にすることが可能となる。
【００５０】
実施の形態５．
図１３はこの発明の実施の形態５に係るバックライトシステムを示す模式図である。尚、この実施の形態でも、表示画面が横長の電子表示機器を例として説明している。
【００５１】
この実施の形態のバックライトシステムでは、反射板（リフレクタ：反射手段）８１をＵ字型ＣＣＦＬランプ（曲げ管）８３ａ，８３ｂの背面側に配置するとともに、光の拡散を行う拡散板（拡散手段）８５と、光の透過制御を行う光学フィルム（光透過制御手段）８７とを、Ｕ字型ＣＣＦＬランプ８３ａ，８３ｂの前面側に順次配置する。そして、Ｕ字型ＣＣＦＬランプ８３ａ，８３ｂから出射された光を背面側の反射板８１で前面側に反射するとともに、この反射板８１での反射光とＵ字型ＣＣＦＬランプ８３ａ，８３ｂからの直接光を、拡散板８５で拡散し、さらに光学フィルム８７を通過させて液晶ディスプレイ（ＬＣＤ）８９を背面側から照明する。
【００５２】
また、この実施の形態５では、Ｕ字型ＣＣＦＬランプ８３ａ，８３ｂは、図１で示した実施の形態１または図１１で示した実施の形態３と同様に、左右両側にフローティング給電方式インバータ装置（図示省略）をそれぞれ配置するとともに、画面内を左右に分割して左右それぞれにＵ字型ＣＣＦＬランプ８３ａ，８３ｂを配置している。
【００５３】
尚、反射板８１は、金属製のランプハウスが兼用されている。
【００５４】
そして、Ｕ字型ＣＣＦＬランプ８３ａ，８３ｂの折り曲げ部９１に対応する反射板８１の表面領域９３の光反射率が他の部分と異なって設定されている。例えば、Ｕ字型ＣＣＦＬランプ８３ａ，８３ｂの折り曲げ部９１の光量が他の部分より大きい場合は、その部分に対応する反射板８１の表面領域９３が、反射光を乱反射してその光反射率を低くするよう粗目状に形成されている。逆に、Ｕ字型ＣＣＦＬランプ８３ａ，８３ｂの折り曲げ部９１の光量が他の部分より小さい場合は、その部分に対応する反射板８１の表面領域９３が鏡面状とされるとともに、他の部分が、反射光を乱反射してその光反射率を低くするよう粗目状に形成されればよい。
【００５５】
また、Ｕ字型ＣＣＦＬランプ８３ａ，８３ｂの折り曲げ部９１に対応する拡散板８５の拡散領域９５の拡散特性が他の部分と異なって設定されており、例えば、Ｕ字型ＣＣＦＬランプ８３ａ，８３ｂの折り曲げ部９１の光量が他の部分より大きい場合は、その部分に対応する拡散領域９５の光拡散度が、他の部分よりも高く設定される。逆に、Ｕ字型ＣＣＦＬランプ８３ａ，８３ｂの折り曲げ部９１の光量が他の部分より小さい場合は、その部分に対応する拡散領域９５の光拡散度が、他の部分よりも低く設定される。
【００５６】
さらに、Ｕ字型ＣＣＦＬランプ８３ａ，８３ｂの折り曲げ部９１に対応する光学フィルム８７の領域９７の光透過率が、他の部分と異なって設定されており、例えば、Ｕ字型ＣＣＦＬランプ８３ａ，８３ｂの折り曲げ部９１の光量が他の部分より大きい場合は、その部分に対応する光学フィルム８７の領域９７の光透過率が、他の部分よりも低く設定される。逆に、Ｕ字型ＣＣＦＬランプ８３ａ，８３ｂの折り曲げ部９１の光量が他の部分より小さい場合は、その部分に対応する光学フィルム８７の領域９７の光透過率が、他の部分よりも高く設定される。
【００５７】
その他の構成は上記各実施の形態と同様である。
【００５８】
このように、反射板８１、拡散板８５及び光学フィルム８７を使用する構成において、Ｕ字型ＣＣＦＬランプ８３ａ，８３ｂの折り曲げ部９１に対応する領域９３，９５，９７における光束の反射、拡散及び光透過についての特性が、他の領域と異なって設定されることで、左右方向に対応して並置された一対のＵ字型ＣＣＦＬランプ８３ａ，８３ｂ同士が近接する箇所（即ち、折り曲げ部９１）から液晶ディスプレイ８９に対する入射光を抑制することが可能な構成となっているので、この領域９３，９５，９７の輝度を他の領域と同等に調整することができる。したがって、局部的な光束量の違いによる光量の差を抑制でき、これにより輝度ムラを抑制して表示画面での輝度差を均一にすることが可能となる。
【００５９】
特に、反射板８１、拡散板８５及び光学フィルム８７の光学特性の調整を左右まとめて行うことができ、設計が容易である利点がある。
【００６０】
尚、この実施の形態では、反射板８１、拡散板８５及び光学フィルム８７のいずれについても、Ｕ字型ＣＣＦＬランプ８３ａ，８３ｂから液晶ディスプレイ８９に対する入射光を抑制しているが、反射板８１、拡散板８５及び光学フィルム８７のうちのいずれかひとつの要素のみについて、Ｕ字型ＣＣＦＬランプ８３ａ，８３ｂから液晶ディスプレイ８９に対する入射光を抑制する構成としても差し支えない。
【００６１】
また、反射板８１を曲面構造とし、例えば画面端部のホット側を広角反射板にして反射光を分散するとともに、画面中央のコールド側を狭角反射板にして反射光を集中するようして、画面全体の輝度差を緩和するようにしても差し支えない。
【００６２】
実施の形態６．
図１４はこの発明の実施の形態６に係るバックライトシステムを示す模式図である。尚、この実施の形態でも、表示画面が横長の電子表示機器を例として説明している。
【００６３】
この実施の形態のバックライトシステムは、複数のストレート管（ストレート型ＣＣＦＬランプ）１０１，１０３，１０５，１０７を横長状に複数個並べた構成である点で、図１９に示した従来の例と共通している。しかしながら、各ストレート管１０１，１０３，１０５，１０７は表示画面の中央部で左右に分断されており、上下に隣り合うストレート管（１０１と１０３及び１０５と１０７）同士を表示画面の中央部に位置する接合部１０９で電気的に接続している点で、従来の例と異なっている。そして、左右に分割された各ストレート管１０１，１０３，１０５，１０７は、表示画面の左右端部にそれぞれ配置されたフローティング給電方式インバータ装置１１１，１１３により給電を受ける構成となっている。
【００６４】
上下に隣り合うストレート管（１０１と１０３及び１０５と１０７）同士を接続する接合部１０９は、具体的には電線が使用されている。
【００６５】
尚、符号１１５，１１７は、フローティング給電方式インバータ装置１１１と各ストレート管１０１，１０３を接続するためのホット側端子、符号３７はランプハウスをそれぞれ示している。したがって、ストレート管１０１，１０３，１０５，１０７は、表示画面の左右端部のホット側端子１１５，１１７にてフローティング給電方式インバータ装置１１１，１１３から給電を受け、また表示画面の中央部において接合部１０９で折り返された構成となっている。
【００６６】
その他の構成は上記各実施の形態と同様である。
【００６７】
この構成によると、上下に隣り合うストレート管（１０１と１０３及び１０５と１０７）同士は、図１５の如く、表示画面の中央部に位置する電極１１９を導電接合材料１２１にて接続される。このように構成することで、２つのストレート管１０１，１０３，１０５，１０７のそれぞれ片方の電極を簡単に接続することができる。
【００６８】
そして、かかる構成によれば、左右一対ずつ複数設けられたストレート管１０１，１０３，１０５，１０７により、従来と同様の背面照明を行うことができるとともに、実施の形態１と同様に、従来に比べて温度分布が画面全体で均一化されることによりランプの長寿命化が可能となり、さらにストレー電流が半減することにより、輝度の均一化とインバータ装置の効率向上を達成でき、しかも低電圧による安全性の確保が容易に可能となる。
【００６９】
さらに、各ストレート管１０１，１０３，１０５，１０７の長さが、実施の形態１で説明したＵ字型ＣＣＦＬランプに比べて短くなるため、ランプ径の細いストレート管１０１，１０３，１０５，１０７を使用することが可能となる。したがって、より電力対輝度比効率のよいバックライトシステムを構成することができる。
【００７０】
この場合、望ましくは図１６の如く、接合部１０９を絶縁性部材１２３で外部からシールド保護することが望ましい。
【００７１】
これにより、上下に隣接するストレート管１０１，１０３，１０５，１０７同士の接合部１０９を、安価で簡単に絶縁シールドすることができる。
【００７２】
実施の形態７．
図１７及び図１８はこの発明の実施の形態７に係るバックライトシステムを示す模式図である。尚、この実施の形態７では、実施の形態６と同等の機能を有する要素について同一符号を付している。また、この実施の形態でも、表示画面が横長の電子表示機器を例として説明している。
【００７３】
この実施の形態のバックライトシステムは、複数のストレート管（ストレート型ＣＣＦＬランプ）１０１，１０３，１０５，１０７を横長状に複数個並べ、各ストレート管１０１，１０３，１０５，１０７を表示画面の中央部で左右に分断するとともに、上下に隣り合うストレート管（１０１と１０３及び１０５と１０７）同士を表示画面の中央部に位置する部分で電気的に接続している点で、上記の実施の形態６と共通している。
【００７４】
ただし、この実施の形態７では、上下方向に隣り合うストレート管（１０１と１０３及び１０５と１０７）同士を表示画面の中央部に位置する部分で、ソケット型の電気結合部品（ランプフォルダー）１２５を使用して両者を接続している点で、上記の実施の形態６と異なっている。
【００７５】
この電気結合部品１２５は、内部に上記両ストレート管（１０１と１０３及び１０５と１０７）同士を接続するための導電部材（例えば電線）１２７が設けられ、さらにその導電部材１２７が絶縁性のハウジング１２９で保護されている。そして、各ストレート管１０１，１０３，１０５，１０７の端子１１９に対しては、ソケット端子１３１によって係脱自在に接続される。
【００７６】
その他の構成は上記各実施の形態と同様である。
【００７７】
この構成によれば、上下方向に隣り合うストレート管（１０１と１０３及び１０５と１０７）をソケット型の電気結合部品（ランプフォルダー）１２５で接続することにより、ストレート管（１０１と１０３及び１０５と１０７）同士を電気的に接続できるだけでなく、ハウジング１２９によって外部からの絶縁性を容易に確保でき、さらに、上下方向に隣接するストレート管１０１，１０３，１０５，１０７同士を、表示画面の中央部において機械的に固定支持することができる利点がある。
【００７８】
尚、上記各実施の形態では、表示画面が横長の（即ち、表示画面の長手方向が水平方向に一致する）電子表示機器を例として説明したが、縦長の（即ち、表示画面の長手方向が垂直方向に一致する）電子表示機器の場合は、ＣＣＦＬランプ２１，２３，４１，５５，５７，８３ａ，８３ｂ，１０１，１０３，１０５，１０７の配置方向は９０度回転する方向として縦横の関係が逆になることは言うまでもない。
【００７９】
また、上記各実施の形態では、線状ランプとしてＣＣＦＬランプを使用していたが、線状の形状を有するものであれば、ＣＣＦＬランプに限られるものではない。
【００８０】
さらにまた、上記各実施の形態では、Ｕ字型ＣＣＦＬランプ２１，２３，４１，５５，５７，７１，８３ａ，８３ｂ及び直管を直列接続したストレート管１０１，１０３，１０５，１０７の両端電圧として互いに逆位相の交流電圧を印加していたが、一方を給電用のホット側端子に、他方を接地用のコールド側端子としてもよい。この場合、複数本平行配置される各Ｕ字型ＣＣＦＬランプ２１，２３，４１，５５，５７，７１，８３ａ，及び直管を直列接続したストレート管１０１，１０３，１０５，１０７の両端子については、ホット側端子とコールド側端子とが交互に現れるよう配置することで、画面端部における温度差を全体として緩和することができる。また、図１において、各Ｕ字型ＣＣＦＬランプ２１，２３の上側の端子３１ａ，３１ｂをホット側端子、下側の端子３３ａ，３３ｂをコールド側端子とすれば、この端部においてホット側端子とコールド側端子とが近接して配置されることから、端部全体としては温度差を緩和することができる。
【００８１】
また、ホット側とコールド側を交互に配置すると輝度差があるため、明暗の縞模様となって現れるが、これに対しては線状ランプの直線部間の距離と、線状ランプ同士の間隔を調整し、さらに、反射手段の光反射率、拡散手段の光拡散率、または光透過制御手段の光透過率を調整することで、輝度差を緩和することができる。
【００８２】
【発明の効果】
この発明によれば、線状ランプが、表示画面の長手方向の略中央部で当該長手方向に分割され、あるいは、線状ランプが表示画面の長手方向に垂直に配置されるので、表示画面の長手方向いっぱいに長さをとった線状ランプを使用する場合に比べて熱伝導距離が短くなる。したがって、従来に比べて温度分布が画面全体で均一化され、これによりランプの長寿命化が可能となり、さらにストレー電流が半減することにより、輝度の均一化とインバータ装置の効率向上を達成でき、しかも低電圧による安全性の確保が容易に可能になる、という効果がある。
【００８３】
さらにまた、画面のほぼ中央に形成される左右の線状ランプの突き合わせ部分の輝度は、両者の間隔によって変化するため、その間隔を調整し、さらに、反射手段の光反射率、拡散手段の光拡散率、または光透過制御手段の光透過率を調整することで、輝度差を緩和することができる。
【図面の簡単な説明】
【図１】この発明の実施の形態１に係るバックライトシステムを示す模式図である。
【図２】この発明の実施の形態１に係るバックライトシステムの縦方向の温度分布図である。
【図３】この発明の実施の形態１に係るバックライトシステムの横方向の温度分布図である。
【図４】この発明の実施の形態１に係るバックライトシステムの縦方向の輝度分布図である。
【図５】この発明の実施の形態１に係るバックライトシステムの横方向の輝度分布図である。
【図６】この発明の実施の形態２に係るバックライトシステムを示す模式図である。
【図７】この発明の実施の形態２に係るバックライトシステムの縦方向の温度分布図である。
【図８】この発明の実施の形態２に係るバックライトシステムの横方向の温度分布図である。
【図９】この発明の実施の形態２に係るバックライトシステムの縦方向の輝度分布図である。
【図１０】この発明の実施の形態２に係るバックライトシステムの横方向の輝度分布図である。
【図１１】この発明の実施の形態３に係るバックライトシステムを示す模式図である。
【図１２】この発明の実施の形態４に係るバックライトシステムを示す模式図である。
【図１３】この発明の実施の形態５に係るバックライトシステムを示す模式図である。
【図１４】この発明の実施の形態６に係るバックライトシステムを示す模式図である。
【図１５】この発明の実施の形態６に係るバックライトシステムの線状ランプの一例を示す模式図である。
【図１６】この発明の実施の形態６に係るバックライトシステムの線状ランプの他の例を示す模式図である。
【図１７】この発明の実施の形態７に係るバックライトシステムの線状ランプを示す模式図である。
【図１８】この発明の実施の形態７に係るバックライトシステムの線状ランプの要部を示す模式図である。
【図１９】従来のバックライトシステム例を示す模式図である。
【図２０】図１９に示すバックライトシステムの縦方向の温度分布模式図である。
【図２１】図１９に示すバックライトシステムの横方向の温度分布模式図である。
【図２２】図１９に示すバックライトシステムの縦方向の輝度分布模式図である。
【図２３】図１９に示すバックライトシステムの横方向の輝度分布模式図である。
【図２４】従来のバックライトシステムにストレー容量が発生している状態を示す説明図である。
【図２５】従来においてストレー容量に起因する漏れ電流により表示画面に輝度差が発生している状態を示す図である。
【符号の説明】
２１，２３，４１，５５，５７，７１，８３ａ，８３ｂ  Ｕ字型ＣＣＦＬランプ、２５，２７，４３，５１，５３  フローティング給電方式インバータ装置、３１ａ，３１ｂ，３３ａ  ３３ａ，５９，６１  ホット側端子、３５，４９，６３，９１  折り曲げ部、３７  ランプハウス、４５，４７  ホット側端子、７５マスキング部、８１  反射板、８５  拡散板、８７  光学フィルム、８９  液晶ディスプレイ、１０１  ストレート管、１０９  接合部、１１１，１１３  フローティング給電方式インバータ装置、１１５，１１７  ホット側端子、１１９電極、１２１  導電接合材料、１２３  絶縁性部材、１２５  電気結合部品、１２７  導電部材、１２９  ハウジング、１３１  ソケット端子。
【図１】
2005011634.tif 000003
【図２】
2005011634.tif 000004
【図３】
2005011634.tif 000005
【図４】
2005011634.tif 000006
【図５】
2005011634.tif 000007
【図６】
2005011634.tif 000008
【図７】
2005011634.tif 000009
【図８】
2005011634.tif 000010
【図９】
2005011634.tif 000011
【図１０】
2005011634.tif 000012
【図１１】
2005011634.tif 000013
【図１２】
2005011634.tif 000014
【図１３】
2005011634.tif 000015
【図１４】
2005011634.tif 000016
【図１５】
2005011634.tif 000017
【図１６】
2005011634.tif 000018
【図１７】
2005011634.tif 000019
【図１８】
2005011634.tif 000020
【図１９】
2005011634.tif 000021
【図２０】
2005011634.tif 000022
【図２１】
2005011634.tif 000023
【図２２】
2005011634.tif 000024
【図２３】
2005011634.tif 000025
【図２４】
2005011634.tif 000026
【図２５】
2005011634.tif 000027